(57)【要約】【課題】  本発明は、車両で来場する会員の利便性を向上させるようにした駐車場管理システムおよび駐車場管理装置および駐車場管理プログラムを提供する。【解決手段】  車番認識装置１３は、入出庫ゲートに接近してきた出庫車両の車番を認識すると、当該認識した車番を駐車場管理サーバ３０に送信する。すると、駐車場管理サーバ３０は、当該車番が会員の車両として登録されているか否かの判定を行なう。ここで、会員車両である旨確認されれば更に、当該会員の遊技データの確認が行なわれる。これは、所定条件に該当する遊技行為が確認できれば、駐車料金を優遇するためである。確認の結果、所定条件に該当する遊技行為が確認できれば、駐車場管理サーバ３０からゲート装置２０に向けてゲート開放指示が送信され、ゲートが開放される。【選択図】  図２
2008269213.tif 000002
【特許請求の範囲】
【請求項１】
車両の車番を認識する認識手段と、
車番を含む会員情報を管理する会員管理手段に前記認識手段により認識された車番と一致する車番が登録されているかを判定する会員車番判定手段と、
前記会員車番判定手段により一致する車番が登録されていると判定された場合に、当該車両の駐車料金の減額処理を制御する減額制御手段と
を具備する駐車場管理システム。
【請求項２】
前記減額制御手段は、
前記会員車番判定手段により一致する車番が登録されていると判定され、かつ前記車番を含む会員情報が登録された会員用記録媒体の受け付けに対応して発行されたチケットが受け付けられた場合に、当該車両の駐車料金を減額させる処理を行なう
請求項１記載の駐車場管理システム。
【請求項３】
会員による施設利用行為に関する利用情報を取得する取得手段と、
前記取得手段により取得された利用情報が所定条件に該当するか否かの判定を行なう所定条件判定手段と
を更に具備し、
前記減額制御手段は、
前記会員車番判定手段により一致する車番が登録されていると判定された場合に、前記所定条件判定手段により前記取得手段で取得された利用情報が所定条件に該当すると判定された時は、前記駐車料金を減額させる処理を行う
請求項１または２記載の駐車場管理システム。
【請求項４】
前記施設は、遊技施設であり、
前記所定条件判定手段は、
前記車番を含む会員情報が登録された会員用記録媒体の受け付け、所定時間以上の遊技をしたか、所定金額以上の遊技をしたか、遊技における獲得遊技媒体数と喪失遊技媒体数との差が所定の値以上か、の少なくとも１つの判定を行なう
請求項３記載の駐車場管理システム。
【請求項５】
車両の通行を阻止する車両通行阻止手段
を更に具備し、
前記車両通行阻止手段は、
前記車両の出庫に際して、前記駐車料金の減額処理を含む前記駐車料金の回収が済んだ場合に、前記車両の通行の阻止を解除する
請求項１記載の駐車場管理システム。
【請求項６】
前記車両通行阻止手段は、
前記車両の入庫に際して、前記会員車番判定手段により一致する車番が登録されていると判定された場合は、前記車両の通行の阻止を解除する
請求項５記載の駐車場管理システム。
【請求項７】
前記減額制御手段は、
前記駐車料金を全額あるいはその一部を減額させる
請求項１から６のいずれかに記載の駐車場管理システム。
【請求項８】
車番を含む会員情報を管理する会員管理手段に車両から認識された車番と一致する車番が登録されているかを判定する判定手段と、
前記判定手段により一致する車番が登録されていると判定された場合に、当該車両の駐車料金の減額処理を制御する制御手段と
を具備する駐車場管理装置。
【請求項９】
コンピュータを、
車番を含む会員情報を管理する会員管理手段に車両から認識された車番と一致する車番が登録されているかを判定する判定手段、
前記判定手段により一致する車番が登録されていると判定された場合に、当該車両の駐車料金の減額処理を制御する制御手段
として機能させるための駐車場管理プログラム。
【発明の詳細な説明】
【技術分野】
【０００１】
本発明は、各種施設に設けられた駐車場において、駐車料金の回収を行なう駐車場管理システムおよび駐車場管理装置および駐車場管理プログラムに関する。
【背景技術】
【０００２】
スーパーマーケット等の商業施設や、パチンコホール等のアミューズメント施設等においては、自動車による来場客に対応するため駐車場が併設されていることが多い。
【０００３】
一般に、この種の駐車場においては、入庫時に発行された駐車券を用いて駐車料金の回収が行なわれる。この際回収される駐車料金は、駐車時間に応じた金額となるが、施設内において所定金額以上の買い物や遊技を行なった利用客の駐車料金の一部を減額したり、無料にしたりするサービスを提供している施設が多い。
【０００４】
このような駐車料金の優遇サービスに関しては、例えば、遊技が行なわれた旨とその日付けとを会員カードに記録させ、出庫時に当該カードの精算機への投入により駐車料金を無料にしてゲートを開放させる、技術が知られている（例えば、特許文献１）。
【特許文献１】特開平０８−２２１６１８号
【発明の開示】
【発明が解決しようとする課題】
【０００５】
上述した技術では、買い物や遊技を行なった者と、それ以外の者とを区別して駐車料金を優遇するため、利用客の購買意欲等を向上させる点においては有用であるかもしれないが、利用者の利便性を考えると未だ向上の余地がある。例えば、上記特許文献１の場合には、出庫ゲートで再度会員カードを取り出さなければならず、この作業が煩雑であると言える。また、これを起因としたカード紛失や出庫待ち渋滞も発生し得る。
【０００６】
そこで、本発明は、車両で来場する会員の利便性を向上させるようにした駐車場管理システムおよび駐車場管理装置および駐車場管理プログラムを提供することを目的とする。
【課題を解決するための手段】
【０００７】
上記目的を達成するため、請求項１の駐車場管理システムの発明は、車両の車番を認識する認識手段と、車番を含む会員情報を管理する会員管理手段に前記認識手段により認識された車番と一致する車番が登録されているかを判定する会員車番判定手段と、前記会員車番判定手段により一致する車番が登録されていると判定された場合に、当該車両の駐車料金の減額処理を制御する減額制御手段とを具備する。
【０００８】
また、請求項２の発明は、請求項１の発明において、前記減額制御手段は、前記会員車番判定手段により一致する車番が登録されていると判定され、かつ前記車番を含む会員情報が登録された会員用記録媒体の受け付けに対応して発行されたチケットが受け付けられた場合に、当該車両の駐車料金を減額させる処理を行なう。
【０００９】
また、請求項３の発明は、請求項１または２の発明において、会員による施設利用行為に関する利用情報を取得する取得手段と、前記取得手段により取得された利用情報が所定条件に該当するか否かの判定を行なう所定条件判定手段とを更に具備し、前記減額制御手段は、前記会員車番判定手段により一致する車番が登録されていると判定された場合に、前記所定条件判定手段により前記取得手段で取得された利用情報が所定条件に該当すると判定された時は、前記駐車料金を減額させる処理を行う。
【００１０】
また、請求項４の発明は、請求項３の発明において、前記施設は、遊技施設であり、前記所定条件判定手段は、前記車番を含む会員情報が登録された会員用記録媒体の受け付け、所定時間以上の遊技をしたか、所定金額以上の遊技をしたか、遊技における獲得遊技媒体数と喪失遊技媒体数との差が所定の値以上か、の少なくとも１つの判定を行なう。
【００１１】
また、請求項５の発明は、請求項１の発明において、車両の通行を阻止する車両通行阻止手段を更に具備し、前記車両通行阻止手段は、前記車両の出庫に際して、前記駐車料金の減額処理を含む前記駐車料金の回収が済んだ場合に、前記車両の通行の阻止を解除する。
【００１２】
また、請求項６の発明は、請求項５の発明において、前記車両通行阻止手段は、前記車両の入庫に際して、前記会員車番判定手段により一致する車番が登録されていると判定された場合は、前記車両の通行の阻止を解除する。
【００１３】
また、請求項７の発明は、請求項１から６のいずれかの発明において、前記減額制御手段は、前記駐車料金を全額あるいはその一部を減額させる。
【００１４】
また、請求項８の駐車場管理装置の発明は、車番を含む会員情報を管理する会員管理手段に車両から認識された車番と一致する車番が登録されているかを判定する判定手段と、前記判定手段により一致する車番が登録されていると判定された場合に、当該車両の駐車料金の減額処理を制御する制御手段とを具備する。
【００１５】
また、請求項９の駐車場管理プログラムの発明は、コンピュータを、車番を含む会員情報を管理する会員管理手段に車両から認識された車番と一致する車番が登録されているかを判定する判定手段、前記判定手段により一致する車番が登録されていると判定された場合に、当該車両の駐車料金の減額処理を制御する制御手段として機能させる。
【発明の効果】
【００１６】
請求項１、２、５、７の駐車場管理システムによれば、煩雑な作業（会員用記録媒体の取り出し等）なく出庫できることになり、車両で来場する会員の利便性を向上させることができる。
【００１７】
また、請求項３、４の駐車場管理システムによれば、所定の施設利用行為が行なわれた場合のみ駐車料金を減額させるため、施設を利用せずに駐車場だけ利用した者による不正利用を防止することができる。
【００１８】
また、請求項６の駐車場管理システムによれば、煩雑な作業（駐車券の発行等）なく入庫できることになり、車両で来場する会員の利便性を向上させることができる。
【００１９】
また、請求項８の駐車場管理装置によれば、煩雑な作業（会員用記録媒体の取り出し等）なく出庫できることになり、車両で来場する会員の利便性を向上させることができる。
【００２０】
また、請求項９の駐車場管理プログラムによれば、煩雑な作業（会員用記録媒体の取り出し等）なく出庫できることになり、車両で来場する会員の利便性を向上させることができる。
【発明を実施するための最良の形態】
【００２１】
以下、本発明に係わる駐車場管理システムおよび駐車場管理装置および駐車場管理プログラムの実施例について添付図面を参照して詳細に説明する。なお、本実施例においては、本発明に係わる駐車場管理システムをパチンコホールに適用する場合を例に挙げて説明するが、本発明はこれに限られず、駐車場が併設される各種施設（例えば、スーパーマーケット、ボーリング場）に適用することができる。
【実施例１】
【００２２】
図１は、パチンコホール敷地内（パチンコホール、駐車場）を俯瞰した図である。
【００２３】
パチンコホールに設けられた駐車場には、１または複数の入出庫ゲート（この場合、入出庫ゲートは２つ）が設けられており、遊技客はこのゲートを自動車（以下、車両と言うこともある）で通過して駐車場を入出庫する。入出庫ゲートには、ゲート装置、車両撮影カメラが設けられている。ゲート装置は、駐車券の発行と回収、ゲート部材の開閉、駐車料金の回収、を含む処理を行なう。車両撮影カメラは、入出庫ゲートに接近する車両からナンバープレート（以下、車番と言う）を含む映像の撮影を行なう。
【００２４】
ここで、図２を用いて、図１に示すパチンコホール、駐車場におけるシステム構成の概要について説明する。
【００２５】
本システム構成は大きく、駐車場管理システムと会員管理システムとに分けられる。なお、駐車場管理システム、会員管理システム、またこれらシステムに組み込まれた各装置は、ＬＡＮ（Local Area Network）やＷＡＮ（Wide Area Network）等で構成されたネットワーク１４や、ＢＮＣ接続ケーブル（車両撮影カメラ１０、分配器１１、カメラ映像録画装置１２、車番認識装置１３間）等を介して通信可能に接続されている。
【００２６】
駐車場管理システムには、駐車情報管理サーバ３０を中心として、車両撮影カメラ１０、分配器１１、カメラ映像録画装置１２、車番認識装置１３、ゲート装置２０、等の各装置が接続されている。駐車場管理システムでは、入出庫ゲートを出入りする車両の撮影、車番の認識、入出庫ゲートの遮断／開放、等を含む処理を行う機能を果たす。
【００２７】
会員管理システムには、会員管理サーバ６０を中心として、カード処理ユニット９１、カード精算機９２、玉計数機９３、会員サービス端末（不図示）、カードチャージ機（不図示）等、の各装置（以下、これら装置を総称してカード処理クライアントと言う）が接続されている。会員管理システムは、会員の管理全般を行なう機能を果たす。
【００２８】
ここで、会員について簡単に説明する。遊技客が会員に入会するには所定の会員登録を済ませる必要がある。具体的には、遊技客による会員申込書等を介した申請により、氏名、電話番号、年齢、性別、住所、所有車両の車番等を含む会員データが会員管理データベース８０に登録されることにより会員への入会が済む。なお、会員登録に際して車番を申請するのは、会員向けの駐車料金優遇サービス（駐車料金の全額あるいはその一部の減額）を提供するためである。会員入会が済んだ遊技客には会員カードが発行される。会員カードは、会員サービス端末（不図示）において会員向けの特典情報の参照等が行なえる他、カードチャージ機（不図示）等で所定の価値付けを行なうことで、プリペイドカード同様に玉の借り受け用として使用できる。なお、会員カードは、磁気タイプ、ＩＣタイプ、あるいはクレジットカードやデビットカードなどの各種カードと共用させたタイプ、いずれの方式を採用したものであってもよい。
【００２９】
続いて、本実施例における駐車場管理システムの説明を分かり易くするために、遊技客が車両で来場する際の流れについて簡単に説明する。
【００３０】
車両撮影カメラ１０では、駐車場の入出庫ゲート近傍を撮影している。撮影された映像は分配器１１を介して順次、カメラ映像録画装置１２、車番認識装置１３へと入力される。カメラ映像録画装置１２に入力された撮影映像は、カメラ映像データとして記憶されることになり、車番認識装置１３に入力された撮影映像は、当該撮影映像を元にして車番の認識が行われる。
【００３１】
車番認識装置１３は、入出庫ゲートに接近してきた入庫車両の車番を認識すると、当該認識した車番を駐車場管理サーバ３０に送信する。すると、駐車場管理サーバ３０は、当該車番が会員車両として登録されているか否かの判定を行なう。この判定は、会員管理システムに向けて該当車番が登録されているか否かを問い合わせることで行なわれる。
【００３２】
問い合わせの結果、会員車両である旨確認されれば、ゲート装置２０のゲート部材（以下単に、ゲートと言う場合もある）が開放される。すなわち、車番登録済みの会員は、駐車券の発行を受けずに駐車場に入庫できることになる。なお、非会員、車番未登録の会員は、駐車券の発行が必要となる。
【００３３】
車両が出庫する際にも上記入庫時同様に、車番認識装置１３において、車番が認識されるとともに、駐車場管理サーバ３０において、当該認識された車番が会員車両として登録されているか否かの判定が行なわれる。ここで、会員車両である旨確認されれば更に、所定条件に該当する遊技行為が行なわれたか否かの判定が行なわれる。この判定を行なうのは、所定条件に該当する遊技行為が確認できれば、駐車料金を優遇するためである。なお、所定条件に該当する遊技行為とは、例えば、遊技時間が所定時間以上経過している、投資額が所定金額以上を計上している、等である。
【００３４】
判定の結果、所定条件に該当する遊技行為が行なわれたと判定された場合、駐車場管理サーバ３０は、当該車両の駐車料金の減額を行なう。そして、減額により駐車料金が無料となるか、減額後の駐車料金の回収が済むかすると、ゲートが開放されることになる。なお、非会員、車番未登録の会員の場合は、駐車券による駐車料金の支払い後、ゲートが開放されることになり、所定条件に該当する遊技行為がなされなかったと判定された車番登録済みの会員の場合は、駐車券はないが、車番認識されるため非会員同様の駐車料金の支払いが要求され、その支払い後、ゲートが開放されることになる。
【００３５】
ここで、図３から図５を用いて、図２に示す駐車場管理システムを構成する各装置について説明する。
【００３６】
図３は、駐車場管理システムの機能的な構成の一部を示す図である。
【００３７】
車両撮影カメラ１０は、車両の車番を含む映像を撮影する機能を果たす。車両撮影カメラ１０で撮影された映像は、上記説明した通り、分配器１１を介して、カメラ映像録画装置１２、車番認識装置１３に入力されることになる。なお、入庫ゲートと出庫ゲートとが別々に設けられている場合や、車両が出入りするゲートが複数ある場合には、各ゲートに対応して車両撮影カメラ１０が設けられることになる。
【００３８】
カメラ映像録画装置１２は、録画映像記憶部１２ａを具備し、分配器１１を介して入力される撮影映像を記憶する機能を果たす。ここに記憶された撮影映像は、駐車場管理サーバ３０からの要求等に基づき当該サーバに供給されることになる。
【００３９】
車番認識装置１３は、車両撮影カメラ１０からの撮影映像を解析し車番を認識する機能を果たし、車番認識部１３ａと、入出庫判定部１３ｂとを具備して構成される。車番認識部１３ａは、撮影映像から車番の認識を行なう機能を果たす。車番認識には、例えば、特開２００５−２２２１５９号に開示された技術を用いればよい。入出庫判定部１３ｂは、車両の入庫、出庫を判定する機能を果たす。入庫、出庫の判定手法は特に問わず、例えば、撮影映像の解析により判定を行なう場合には、撮影映像内の上部から車両が現れ当該車両が徐々に大きくなれば入庫、撮影映像内の下部から車両が現れ当該車両が徐々に小さくなれば出庫等と判定を行うようにすればよい。また、入庫車両、出庫車両を撮影する車両撮影カメラが別々に設けられている場合には、車両撮影カメラの番号等から入庫車両であるか出庫車両であるかの判定が行えることになる。
【００４０】
ゲート装置２０は、入出庫ゲートに設けられ、駐車券の発行と回収、ゲート部材の開閉、駐車料金の回収、を含む処理を行なう機能を果たし、駐車券の発行を行なう機能を果たす駐車券発行部２１と、駐車券の読み取りを行なう機能を果たす駐車券読取部２２と、駐車料金の算出を行なう機能を果たす駐車料金算出部２３と、ゲート部材の開閉処理を行う機能を果たすゲート開閉処理部２４と、車両の入出庫を阻止する機能を果たすゲート部材２５とを具備して構成される。
【００４１】
会員車両データベース５０は、駐車場に入庫中の会員車両に係わるデータを管理する機能を果たす。会員車両に係わるデータの管理には、例えば、図４に示すテーブルが用いられる。このテーブルでは、車番に対応して会員番号とその入庫時刻とが保持される。すなわち、車番登録済みの会員車両の入庫時刻が会員番号とともに管理されている。なお、会員車両データベース５０は、駐車場管理サーバ３０内部（後述する記憶部３４）に実現されていてもよい。
【００４２】
駐車場管理サーバ３０は、駐車場管理システムを統括制御する機能を果たし、表示部３１と、操作部３２と、制御部３３と、記憶部３４と、通信部３５とを具備して構成される。
【００４３】
表示部３１は、ディスプレイ等の表示装置であり、各種情報の表示を行う機能を果たす。操作部３２は、キーボードやマウス等の入力装置であり、操作者からの指示を装置内に入力する機能を果たす。
【００４４】
制御部３３は、ＣＰＵ（Central Processing Unit）、ＲＯＭ(Read Only Memory)やＲＡＭ(Random Access Memory)等のメモリ等から構成され、駐車場管理サーバ３０における処理を統括制御する機能を果たす。
【００４５】
記憶部３４は、ＨＤＤ（Hard Disk Drive）等から構成され、各種データを記憶する記憶装置としての機能を果たす。記憶部３４には各種プログラムやＯＳ（Operating System）の他、遊技条件情報３４ａが記憶される。遊技条件情報３４ａには、所定条件に該当する遊技行為が行なわれたか否かを判定する際の判定基準となる条件が規定されている。遊技条件情報３４ａは、例えば、図５に示す構成となる。遊技条件情報３４ａには、遊技行為条件に対応して当該条件を有効とするか否かの有効情報が規定される。遊技行為条件には、例えば、会員カードをいずれかのカード処理クライアントに挿入、遊技時間が所定時間以上、投資額が所定金額以上、遊技による喪失玉数（あるいは喪失メダル数）と獲得玉数（あるいは獲得メダル数）の差が所定値以上、等の条件が規定されている。この場合、「遊技時間が所定時間以上」に併設された有効情報に「有効」が設定されているため、所定時間以上の遊技が行なわれた場合に所定条件に該当すると判定されることになる。なお、遊技行為条件は、上記例示した以外にも会員により遊技行為が行なわれた旨判定できる条件であればよい。また、遊技行為条件は、１つに限られず、複数同時に有効となるように設定してもよい。
【００４６】
通信部３５は、ネットワークカード等で構成され、駐車場管理サーバ３０とネットワーク１４との通信を制御する通信インターフェースとしての機能を果たす。以上が、駐車場管理サーバ３０を構成する各種処理機能の説明である。なお、図３においては、説明を分かり易くするために、駐車場管理サーバ３０の各処理機能を具体的に実現する構成を例示しているが、これはあくまで一例であり、これ以外の構成により各処理機能が実現されてもよい。
【００４７】
続いて、上述した制御部３３の機能的な構成の一部について説明する。なお、この制御部３３上に実現される各種処理機能は主に、ＣＰＵが記憶部３４に記憶されたプログラムを実行することで実現される。
【００４８】
制御部３３は、その機能構成として、会員車両データベース管理部４１と、会員管理データ取得部４２と、会員車番判定部４３と、遊技行為判定部４４と、会員車両駐車料金算出部４５と、ゲート制御部４６とを具備して構成される。
【００４９】
会員車両データベース管理部４１は、会員車両データベース５０を管理する機能を果たし、データ登録、データ更新、データ削除、データ検索等の処理を会員車両データベース５０に対して行う。
【００５０】
会員管理データ取得部４２は、会員管理システムから会員管理データ（会員データ、遊技データ等）を取得する機能を果たす。会員管理データの取得は、会員管理サーバ６０に向けて車番若しくは会員番号等を含む問い合わせを送信することで行なわれる。
【００５１】
会員車番判定部４３は、車番認識装置１３で認識された車番が会員車両の車番であるか否かを判定する機能を果たす。この判定は、認識された車番が会員管理データベース８０に登録されている車番と一致するか否かに基づき行なわれる。なお、出庫に際しては、入庫中の会員車両に係わる情報が会員車両データベース５０に登録されているため、会員車両データベース５０に当該車番が登録されているか否かに基づき判定が行なわれることになる。
【００５２】
遊技行為判定部４４は、所定条件に該当する遊技行為が行なわれたか否かを判定する機能を果たす。この判定は、上記会員管理データ取得部４２により取得された遊技データと、上記図５で説明した遊技条件情報３４ａとに基づき行なわれる。
【００５３】
会員車両駐車料金算出部４５は、車番登録済みの会員車両の駐車料金を算出する機能を果たす。駐車料金優遇サービスの対象となる車両に対しては、減額済みの駐車料金を算出することになる。例えば、駐車料金優遇サービスの対象となる車両の駐車料金を全額減額（無料）する場合、会員車両駐車料金算出部４５においては、当該車両の駐車料金を０と算出することになる。
【００５４】
ゲート制御部４６は、ゲート装置２０を制御する機能を果たす。ゲート制御部４６による制御は、ネットワーク１４等を介して命令文を含んだ指示を送信することで行なわれる。命令には、例えば、ゲート部材２５の開放や、所定駐車料金の回収等を指示するものがある。
【００５５】
次に、図６、図７を用いて、図２に示す会員管理システムを構成する各装置について説明する。
【００５６】
図６は、会員管理システムの機能的な構成の一部を示す図である。
【００５７】
カード処理ユニット９１は、現金、会員カード、プリペイドカード等を受け付けて玉貸し処理を行う機能を果たす。カード処理ユニット９１は、会員カードにより玉貸し処理が行われた場合、利用金額（投資額）を会員番号に関連付けて会員管理サーバ６０に送信する。
【００５８】
カード精算機９２は、プリペイドカード、会員カードを受け付けて、当該カードに価値付けされた残価値分を現金として払い出す機能を果たす。カード精算機９２は、会員カードにより精算が行なわれた場合、払い出した金額を会員番号に関連付けて会員管理サーバ６０に送信する。
【００５９】
玉計数機９３は、遊技客が遊技によって獲得したパチンコ玉を受け入れて、その獲得玉数を計数する機能を果たす。玉計数機９３は、計数に際して会員カードが挿入され所定の操作が行なわれると、計数値（玉数）を会員番号に関連付けて会員管理サーバ６０に送信する。これは、レシートに計数値を印字するのではなく、計数値に基づく価値付けを会員カードに行なうためである。
【００６０】
なお、上述したカード処理ユニット９１、カード精算機９２、玉計数機等のカード処理クライアントは、会員カードを受け付け当該会員カードから会員番号等の読み取りを行なう機能を果たす会員カード処理部（９１ａ、９２ａ、９３ａ）と、当該読み取った会員番号や処理情報等を会員管理サーバ６０に向けて送信する機能を果たす処理情報送信部（９１ｂ、９２ｂ、９３ｂ）とを具備して構成される。
【００６１】
会員管理データベース８０は、会員に係わるデータを管理する機能を果たす。データ管理には、例えば、図７に示すテーブルが用いられる。このテーブルでは、会員番号に対応して会員データと遊技データ（本日分）とが保持されており、会員データには、氏名、電話番号、車番等の情報が含まれ、遊技データには、来店時刻、投資額、遊技時間、アウト、セーフ等の情報が含まれる。会員データは、会員登録に際して会員本人により申請された情報に基づくものであり、遊技データは、カード処理ユニット９１、カード精算機９２、玉計数機９３、等の利用に際して会員カードが使用された時に、これら装置から送られてきた処理情報に基づくものである。なお、会員管理データベース８０においては、会員データや遊技データの他、貯玉データ等も管理されていてもよいが、ここでは、その説明については省略する。
【００６２】
会員管理サーバ６０は、会員管理システムを統括制御する機能を果たし、表示部６１と、操作部６２と、制御部６３と、記憶部６４と、通信部６５とを具備して構成される。
【００６３】
表示部６１は、ディスプレイ等の表示装置であり、各種情報の表示を行う機能を果たす。操作部６２は、キーボードやマウス等の入力装置であり、操作者からの指示を装置内に入力する機能を果たす。
【００６４】
制御部６３は、ＣＰＵ、ＲＯＭやＲＡＭ等のメモリ等から構成され、会員管理サーバ６０における処理を統括制御する機能を果たす。
【００６５】
記憶部６４は、ＨＤＤ等から構成され、各種データを記憶する記憶装置としての機能を果たす。記憶部３４には各種プログラムやＯＳ等が記憶される。
【００６６】
通信部６５は、ネットワークカード等で構成され、会員管理サーバ６０とネットワーク１４との通信を制御する通信インターフェースとしての機能を果たす。以上が、会員管理サーバ６０を構成する各種処理機能の説明である。なお、図６においては、説明を分かり易くするために、会員管理サーバ６０の各処理機能を具体的に実現する構成を例示しているが、これはあくまで一例であり、これ以外の構成により各処理機能が実現されてもよい。
【００６７】
続いて、上述した制御部６３の機能的な構成の一部について説明する。なお、この制御部６３上に実現される各種処理機能は主に、ＣＰＵが記憶部６４に記憶されたプログラムを実行することで実現される。
【００６８】
制御部６３は、その機能構成として、会員管理データベース管理部７１と、会員管理データ連携部７２とを具備して構成される。
【００６９】
会員管理データベース管理部７１は、会員管理データベース８０を管理する機能を果たし、データ登録、データ更新、データ削除、データ検索等の処理を会員管理データベース８０に対して行なう。
【００７０】
会員管理データ連携部７２は、会員管理データ（会員データ、遊技データ等）を駐車場管理システムに連携する機能を果たす。具体的には、駐車場管理システムからの問い合わせに基づき該当する会員データや遊技データを駐車場管理システムに応答する。会員管理データ連携部７２による会員管理データの連携により、駐車場管理システムと会員管理システムとの間のシステム間連携が実現されることになる。
【００７１】
以上が、駐車場管理システム、会員管理システムについての説明である。なお、上記図３、図６を用いて両システム内における各装置（装置内を含む）により実現される機能について説明したが、これら各機能は、必ずしも上記図示した通りに実現される必要はなく、両システム内におけるいずれかの装置にその全部若しくは一部が実現されていればよい。
【００７２】
次に、図８、図９を用いて、図２に示す駐車場管理システムにおける処理の流れの一例について説明する。
【００７３】
まず、図８を用いて、車両入庫時における処理の流れについて説明する。
【００７４】
車番認識装置１３は、車両撮影カメラ１０から入力されてくる撮影映像を解析し、当該映像内に車両が現れるのを監視している（ステップＳ１０１でＮＯ）。ここで、撮影映像内に車両が現れると（ステップＳ１０１でＹＥＳ）、車番認識装置１３は、車番認識部１３ａにおいて当該車両の車番を認識するとともに、入出庫判定部１３ｂにおいて入庫であるか出庫であるかを判定し（ステップＳ１０２）、この認識した車番と、入庫であるか出庫であるかを示す入出庫情報とを含む車番認識情報を駐車場管理サーバ３０に向けて送信する（ステップＳ１０３）。
【００７５】
車番認識情報を受信した駐車場管理サーバ３０は（ステップＳ１０４）、会員車番判定部４３において、当該車番が会員の車両として登録されているか否かの判定を行なう（ステップＳ１０５）。この判定は、当該車番と一致する車番が会員管理データベース８０に登録されているか否かに基づき行なわれることになる。
【００７６】
判定の結果、会員車両として登録されていない車番であった場合には（ステップＳ１０６でＮＯ）、従来同様に、ゲート装置２０において、駐車券が発行され当該駐車券が抜き取られればゲートが開放されることになる（ステップＳ１１０）。一方、会員車両として登録されている車番であった場合には（ステップＳ１０６でＹＥＳ）、駐車場管理サーバ３０は、会員車両データベース管理部４１において、当該車両の車両データ（車番、会員番号、入庫時刻を含む）を会員車両データベース５０に登録するとともに（ステップＳ１０７）、ゲート制御部４６において、ゲートの開放をゲート装置２０に指示する（ステップＳ１０８）。すると、この指示を受けたゲート装置２０では、ゲートを開放させることになる（ステップＳ１０９）。
【００７７】
次に、図９を用いて、車両出庫時における処理の流れについて説明する。なお、ここでは、駐車料金優遇サービスの一例として当該サービスの対象となった車両の駐車料金を全額減額する場合について説明する。
【００７８】
車番認識装置１３は、車両撮影カメラ１０から入力されてくる撮影映像を解析し、当該映像内に車両が現れるのを監視している（ステップＳ２０１でＮＯ）。ここで、撮影映像内に車両が現れると（ステップＳ２０１でＹＥＳ）、車番認識装置１３は、車番認識部１３ａにおいて当該車両の車番を認識するとともに、入出庫判定部１３ｂにおいて入庫であるか出庫であるかを判定し（ステップＳ２０２）、この認識した車番と、入庫であるか出庫であるかを示す入出庫情報とを含む車番認識情報を駐車場管理サーバ３０に向けて送信する（ステップＳ２０３）。
【００７９】
車番認識情報を受信した駐車場管理サーバ３０は（ステップＳ２０４）、会員車番判定部４３において、当該車番が会員の車両として登録されているか否かの判定を行なう（ステップＳ２０５）。この判定は、当該車番と一致する車番が会員車両データベース５０に登録されているか否かに基づき行なわれることになる。
【００８０】
判定の結果、会員車両データベース５０に登録されていない車番であった場合には（ステップＳ２０６でＮＯ）、従来同様に、ゲート装置２０において、駐車券が読み取られ駐車料金の回収が行なわれた後、ゲートが開放されることになるが（ステップＳ２０７）、会員車両データベース５０に登録されている車番であった場合には（ステップＳ２０６でＹＥＳ）、駐車場管理サーバ３０は、会員管理データ取得部４２において、当該会員の遊技データを取得するとともに（ステップＳ２０８）、遊技行為判定部４４において、当該会員により所定条件に該当する遊技行為が行なわれたか否かの判定を行なう。ここでは例えば、所定時間以上の遊技が行なわれたか否か等の判定が行なわれる。
【００８１】
判定の結果、所定条件に該当する遊技行為が行なわれなかったと判定された場合には（ステップＳ２０９でＮＯ）、駐車場管理サーバ３０は、会員車両駐車料金算出部４５において、当該車両の入庫時刻と現時刻とに基づき駐車料金の算出を行なうとともに（ステップＳ２１４）、ゲート制御部４６において、当該料金の回収をゲート装置２０に指示する（ステップＳ２１５）。この指示の送信後、駐車場管理サーバ３０は、会員車両データベース管理部４１において、会員車両データベース５０から当該車両に対応する車両データの削除を行なう（ステップＳ２１６）。なお、ステップＳ２１５における指示を受けたゲート装置２０では、駐車料金を支払うようにドライバーに促し（画面表示、音声等）、当該駐車料金の回収後、ゲートを開放させることになる（ステップＳ２１７）。
【００８２】
また、ステップＳ２０９において、所定条件に該当する遊技行為が行なわれたと判定された場合には（ステップＳ２０９でＹＥＳ）、駐車場管理サーバ３０は、会員車両駐車料金算出部４５において、減額済みの駐車料金の算出を行なう（ステップＳ２１０）。ここで、この場合、駐車料金が全額減額されるため駐車料金の回収がないので、ゲート制御部４６において、ゲートの開放がゲート装置２０に指示される（ステップＳ２１１）。この指示の送信後、駐車場管理サーバ３０は、会員車両データベース管理部４１において、会員車両データベース５０から当該車両に対応する車両データの削除を行なう（ステップＳ２１２）。ステップＳ２１１における指示を受けたゲート装置２０では、ゲートを開放させることになる（ステップＳ２１３）。
【００８３】
なお、駐車料金を全額減額させるのではなくその一部だけを減額させる場合には、ステップＳ２１１において、ゲートの開放を指示するのではなく減額後の駐車料金の回収を指示するようにしてやればよい。
【実施例２】
【００８４】
次に、実施例２について説明する。上記実施例２においては、駐車料金優遇チケットの発行により駐車料金を減額する場合の実施形態について説明する。なお、実施例２におけるパチンコホール、駐車場におけるシステム構成の概要は、上記実施例１で説明した図２と略同様となるため、その説明については省略する。
【００８５】
まず、図１０を用いて、実施例２に係わる駐車場管理システムを構成する各装置について説明する。なお、ここでは、実施例１の構成から相違する、駐車場管理サーバ３０の制御部３３における構成についてのみ説明する。
【００８６】
駐車場管理サーバ３０の制御部３３は、上記実施例１で説明した図３の構成から会員車両駐車料金算出部４５が除かれ、発行判定結果送信部４７が新たに設けられる。発行判定結果送信部４７は、駐車料金優遇チケットの発行を行なうか否かの判定結果を会員管理システムに向けて送信する機能を果たす。
【００８７】
次に、図１１を用いて、実施例２に係わる会員管理システムを構成する各装置について説明する。なお、ここでは、実施例１の構成から相違する、会員管理サーバ６０の制御部６３における構成と、カード処理クライアント（９１、９２、９３）の構成についてのみ説明する。
【００８８】
会員管理サーバ６０の制御部６３には、チケット発行判定部７３と、チケット発行指示部７４とが新たに設けられる。チケット発行判定部７３は、駐車料金優遇チケットを発行するか否かを判定する機能を果たし、チケット発行指示部７４は、駐車料金優遇チケットの発行をカード処理クライアントに指示する機能を果たす。なお、チケット発行判定部７３による判定は、発行判定結果送信部４７からの判定結果に基づき行なわれる。
【００８９】
カード処理クライアントには、チケット発行部（９１ｃ、９２ｃ、９３ｃ）が新たに設けられる。チケット発行部（９１ｃ、９２ｃ、９３ｃ）は、会員管理サーバ６０からの指示に基づき駐車料金優遇チケットを発行する機能を果たす。
【００９０】
以上が、駐車場管理システム、会員管理システムについての説明である。なお、上記図１０、図１１を用いて両システム内における各装置（装置内を含む）により実現される機能について説明したが、これら各機能は、必ずしも上記図示した通りに実現される必要はなく、両システム内におけるいずれかの装置にその全部若しくは一部が実現されていればよい。
【００９１】
次に、図１２、図１３を用いて、実施例２に係わる駐車場管理システム、会員管理システムにおける処理の流れの一例について説明する。なお、車両入庫時の処理は、上記実施例１の図８で説明した処理と略同様となるため、その説明については省略する。
【００９２】
まず、図１２を用いて、駐車料金優遇チケットを発行する際の処理の流れについて説明する。
【００９３】
遊技客がカード処理ユニット、玉計数機９３、カード処理ユニット９１、カード精算機９２等の利用に際して会員カードを挿入すると（ステップＳ３０１でＹＥＳ）、これを受けたカード処理クライアントは、処理情報送信部（９１ｂ、９２ｂ、９３ｂ）において、処理情報（例えば、玉計数値等）を会員番号に関連付けて会員管理サーバ６０に送信する（ステップＳ３０２）。
【００９４】
すると、これを受信した会員管理サーバ６０は（ステップＳ３０３）、会員管理データベース管理部７１において、当該処理情報とともに送られてきた会員番号に対応する車番が会員管理データベース８０に登録されているか否かの判定を行なう。ここで、車番が登録されていなかった場合には（ステップＳ３０４でＮＯ）、会員カードを返却し（ステップＳ３１４）、この処理を終了することになる。一方、車番が登録されていた場合には（ステップＳ３０４でＹＥＳ）、会員管理データベース８０から当該会員番号に対応する遊技データを取得し、この遊技データと、会員番号とを駐車場管理サーバ３０に送信する（ステップＳ３０５）。
【００９５】
会員番号と遊技データとを受信した駐車場管理サーバ３０は（ステップＳ３０６）、遊技行為判定部４４において、当該会員により所定条件に該当する遊技行為が行なわれたか否かの判定を行なう。判定の結果、所定条件に該当する遊技行為が行なわれなかったと判定した場合には（ステップＳ３０７でＮＯ）、発行判定結果送信部４７において、判定結果情報（チケット発行なし）を会員管理サーバ６０に応答することになるが（ステップＳ３０９）、所定条件に該当する遊技行為が行なわれたと判定した場合には（ステップＳ３０７でＹＥＳ）、発行判定結果送信部４７において、判定結果情報（チケット発行あり）を会員管理サーバ６０に応答する（ステップＳ３０８）。
【００９６】
判定結果情報を受信した会員管理サーバ６０は（ステップＳ３１０）、チケット発行判定部７３において、当該受信した判定結果情報に基づき駐車料金優遇チケットの発行を行なうか否かの判定を行なう。判定の結果、駐車料金優遇チケットの発行を行なわないと判定した場合には（ステップＳ３１１でＮＯ）、会員カードを返却し（ステップＳ３１４）、この処理を終了することになる。一方、駐車料金優遇チケットの発行を行なうと判定した場合には（ステップＳ３１１でＹＥＳ）、会員管理サーバ６０は、チケット発行指示部７４において、会員カードの挿入を受けたカード処理クライアントに向けて駐車料金優遇チケットの発行を指示する（ステップＳ３１２）。すると、この指示を受けたカード処理クライアントは、挿入された会員カードの返却とともに、チケット発行部（９１ｃ、９２ｃ、９３ｃ、）において、駐車料金優遇チケットの発行を行なう（ステップＳ３１３）。
【００９７】
続いて、図１３を用いて、車両出庫時における処理の流れについて説明する。なお、ここでは、駐車料金優遇サービスの一例として当該サービスの対象となった車両（駐車料金優遇チケットの発行を受けた車両）の駐車料金を全額減額する場合について説明する。
【００９８】
車番認識装置１３は、車両撮影カメラ１０から入力されてくる撮影映像を解析し、当該映像内に車両が現れるのを監視している（ステップＳ４０１でＮＯ）。ここで、撮影映像内に車両が現れると（ステップＳ４０１でＹＥＳ）、車番認識装置１３は、車番認識部１３ａにおいて当該車両の車番を認識するとともに、入出庫判定部１３ｂにおいて入庫であるか出庫であるかを判定し（ステップＳ４０２）、この認識した車番と、入庫であるか出庫であるかを示す入出庫情報とを含む車番認識情報を駐車場管理サーバ３０に向けて送信する（ステップＳ４０３）。
【００９９】
車番認識情報を受信した駐車場管理サーバ３０は（ステップＳ４０４）、会員車番判定部４３において、当該車番が会員の車両として登録されているか否かの判定を行なう（ステップＳ４０５）。この判定は、当該車番と一致する車番が会員車両データベース５０に登録されているか否かに基づき行なわれることになる。
【０１００】
判定の結果、会員車両データベース５０に登録されていない車番であった場合には（ステップＳ４０６でＮＯ）、従来同様に、ゲート装置２０において、駐車券が読み取られ駐車料金の回収が行なわれた後、ゲートが開放されることになるが（ステップＳ４０７）、会員車両データベース５０に登録されている車番であった場合には（ステップＳ４０６でＹＥＳ）、駐車場管理サーバ３０は、ゲート制御部４６において、駐車料金優遇チケット挿入の催促指示をゲート装置２０に向けて送信するとともに（ステップＳ４０８）、会員車両データベース管理部４１において、会員車両データベース５０から当該車両に対応する車両データの削除を行なう（ステップＳ４０９）。ステップＳ４０８における指示を受けたゲート装置２０では、駐車料金優遇チケットの挿入を促すアナウンスを行った後（ステップＳ４１０）、駐車料金優遇チケットが挿入されるのを受けて、ゲートを開放することになる（ステップＳ４１１）。
【０１０１】
なお、駐車料金優遇チケットにより駐車料金を全額減額させるのではなくその一部だけを減額させる場合には、ステップＳ４１１において、駐車料金優遇チケットの挿入を受けて当該減額後の駐車料金の回収を行なった後、ゲートを開放するようにすればよい。
【０１０２】
以上が本発明の代表的な実施形態の一例であるが、本発明は、上記および図面に示す実施例に限定することなく、その要旨を変更しない範囲内で適宜変形して実施できるものである。
【０１０３】
例えば、上記実施例１および２においては、駐車料金優遇サービスの対象者を車番登録済みでかつ所定条件に該当する遊技行為を済ませた会員とする場合について説明したが、これに限られず、駐車料金優遇サービス対象者は適宜変更できる。例えば、所定条件に該当する遊技行為が行なわれたか否かは関係なく、車番登録済みの会員ならば一律に駐車料金を優遇するようにしてもよい。
【０１０４】
また、車番登録済みでかつ所定条件に該当する遊技行為を済ませた会員であっても、遊技時間に比べて駐車時間が極端に長い場合には、追加の駐車料金を回収するようにしてもよい。
【０１０５】
また、実施例２における駐車料金優遇チケットに文字（メッセージ）や画像（駐車した車両の位置）を印刷するようにしてもよい。なお、駐車料金優遇チケットに印刷するのではなく、チケット発行に際してカード処理クライアントにおける表示部に文字や画像を表示するようにしてもよい。
【０１０６】
また、駐車料金優遇サービスを受けられない会員や駐車料金の回収が必要な会員から貯玉により駐車料金の回収を行なうようにしてもよい。
【０１０７】
また、上記実施例１および２で説明した会員カードの代わりに携帯電話を用いてもよい。
【０１０８】
また、上記説明した駐車場管理サーバ３０、会員管理サーバ６０において動作するプログラムは、ネットワーク等の通信手段により提供することは勿論、ＣＤ−ＲＯＭ等の外部記録媒体に管理して提供することも可能である。
【図面の簡単な説明】
【０１０９】
【図１】パチンコホール敷地内（パチンコホール、駐車場）を俯瞰した図である。
【図２】図１に示すパチンコホール、駐車場におけるシステム構成の概要を示す図である。
【図３】図２に示す駐車場管理システムの機能的な構成の一部を示す図である。
【図４】図２、図３に示す会員車両データベース５０のデータ構成の一例を示す図である。
【図５】図３に示す遊技条件情報３４ａのデータ構成の一例を示す図である。
【図６】図２に示す会員管理システムの機能的な構成の一部を示す図である。
【図７】図２、図６に示す会員管理データベース８０のデータ構成の一例を示す図である。
【図８】図２、図３に示す駐車場管理システムにおける処理の流れを示す第１のフローチャートである。
【図９】図２、図３に示す駐車場管理システムにおける処理の流れを示す第２のフローチャートである。
【図１０】実施例２に係わる駐車場管理システムの機能的な構成の一部を示す図である。
【図１１】実施例２に係わる会員管理システムの機能的な構成の一部を示す図である。
【図１２】実施例２に係わる駐車場管理システム、会員管理システムにおける処理の流れを示す第１のフローチャートである。
【図１３】実施例２に係わる駐車場管理システム、会員管理システムにおける処理の流れを示す第２のフローチャートである。
【符号の説明】
【０１１０】
１０    車両撮影カメラ
１１    分配器
１２    カメラ映像録画装置
１２ａ    録画映像記憶部
１３    車番認識装置
１３ａ    車番認識部
１３ｂ    入出庫判定部
１４    ネットワーク
２０    ゲート装置
２１    駐車券発行部
２２    駐車券読取部
２３    駐車料金算出部
２４    ゲート開閉処理部
２５    ゲート部材
３０    駐車場管理サーバ
３１、６１    表示部
３２、６２    操作部
３３、６３    制御部
３４、６４    記憶部
３４ａ    遊技条件情報
３５、６５    通信部
４１    会員車両データベース管理部
４２    会員管理データ取得部
４３    会員車番判定部
４４    遊技行為判定部
４５    会員車両駐車料金算出部
４６    ゲート制御部
４７    発行判定結果送信部
５０    会員車両データベース
６０    会員管理サーバ
７１    会員管理データベース管理部
７２    会員管理データ連携部
７３    チケット発行判定部
７４    チケット発行指示部
８０    会員管理データベース
９１    カード処理ユニット
９２    カード精算機
９３    玉計数機
９１ａ、９２ａ、９３ａ    会員カード処理部
９１ｂ、９２ｂ、９３ｂ    処理情報送信部
９１ｃ、９２ｃ、９３ｃ    チケット発行部
【図１】
2008269213.tif 000003
【図２】
2008269213.tif 000004
【図３】
2008269213.tif 000005
【図４】
2008269213.tif 000006
【図５】
2008269213.tif 000007
【図６】
2008269213.tif 000008
【図７】
2008269213.tif 000009
【図８】
2008269213.tif 000010
【図９】
2008269213.tif 000011
【図１０】
2008269213.tif 000012
【図１１】
2008269213.tif 000013
【図１２】
2008269213.tif 000014
【図１３】
2008269213.tif 000015